(57)【要約】【課題】配線基板に取り付けられる端子の数を増加することが可能な液晶テレビジョンを提供する。【解決手段】この液晶テレビジョン１は、外部機器との接続に用いられるジャック７１が取り付けられるジャック設置用基板７０と、メイン基板５０の形成後に不要となった部分から形成され、ジャック設置用基板７０をメイン基板５０から所定の高さを有した状態で支持するとともにメイン基板５０とジャック設置用基板７０とを電気的に接続する２つの脚基板８０とを備えている。また、液晶テレビジョン１は、メイン基板５０のジャック設置用基板７０の下方に位置する部分に取り付けられるデジタルテレビ用チューナー５２と、デジタルテレビ用チューナー５２とジャック設置用基板７０との間には緩衝部材９０とを備えている。また、ジャック設置用基板７０に取り付けられるジャック７１は、ジャック設置用基板７０の主表面７２に対して垂直方向に接続されるように取り付けられている。【選択図】図５
2007067480.tif 000002
【特許請求の範囲】
【請求項１】
液晶表示部と、前記液晶表示部を制御するための第１配線基板と、外部機器との接続に用いられる端子と、前記第１配線基板に取り付けられる電子部品とを備えた小型の液晶テレビジョンにおいて、
前記外部機器との接続に用いられる端子が取り付けられる第２配線基板と、
前記第１配線基板の形成後に不要となった部分から形成され、前記第２配線基板を前記第１配線基板から所定の高さを有した状態で支持するとともに前記第１配線基板と前記第２配線基板とを電気的に接続する少なくとも２つの第３配線基板とをさらに備え、
前記電子部品は、前記第１配線基板の前記第２配線基板の下方に位置する部分に取り付けられるとともに、前記電子部品と前記第２配線基板との間には、緩衝部材が設けられており、
前記第１配線基板および前記第２配線基板には、それぞれ、前記第３配線基板を挿入するための挿入孔が形成されており、
前記第３配線基板は、前記第１配線基板の前記挿入孔に挿入された状態で前記第１配線基板に電気的に接続されるように固定されるとともに、前記第２配線基板の前記挿入孔に挿入された状態で前記第２配線基板に電気的に接続されるように固定され、
前記第２配線基板に取り付けられる端子は、前記第２配線基板の主表面に対して垂直方向に接続されるように取り付けられている、液晶テレビジョン。
【請求項２】
液晶表示部と、
前記液晶表示部を制御するための第１配線基板と、
外部機器との接続に用いられる端子が取り付けられる第２配線基板と、
前記第２配線基板を前記第１配線基板から所定の高さを有した状態で支持するとともに、前記第１配線基板と前記第２配線基板とを電気的に接続する第３配線基板とを備え、
前記第２配線基板に取り付けられる端子は、前記第２配線基板の主表面に対して垂直方向に接続されるように取り付けられている、液晶テレビジョン。
【請求項３】
前記第３配線基板は、前記第１配線基板の形成後に不要となった部分から形成される、請求項２に記載の液晶テレビジョン。
【請求項４】
前記第１配線基板および前記第２配線基板には、それぞれ、前記第３配線基板を挿入するための挿入孔が形成されており、
前記第３配線基板は、前記第１配線基板の前記挿入孔に挿入された状態で前記第１配線基板に電気的に接続されるように固定されるとともに、前記第２配線基板の前記挿入孔に挿入された状態で前記第２配線基板に電気的に接続されるように固定されている、請求項２または３に記載の液晶テレビジョン。
【請求項５】
前記第３配線基板は、少なくとも２つ設けられている、請求項２〜４のいずれか１項に記載の液晶テレビジョン。
【請求項６】
前記第１配線基板の前記第２配線基板の下方に位置する部分に取り付けられる電子部品と、
前記電子部品と前記第２配線基板との間に設けられる緩衝部材とをさらに備える、請求項２〜５のいずれか１項に記載の液晶テレビジョン。
【請求項７】
前記第１配線基板の前記第２配線基板の下方に位置する部分に取り付けられる電子部品と、
前記電子部品と前記第２配線基板との間に設けられ、前記電子部品と前記第２配線基板とを接地するための金属製の板バネとをさらに備える、請求項２〜５のいずれか１項に記
載の液晶テレビジョン。
【発明の詳細な説明】
【技術分野】
【０００１】
この発明は、液晶テレビジョンに関し、特に、外部機器との接続に用いられる端子が取り付けられる配線基板を備えた液晶テレビジョンに関する。
【背景技術】
【０００２】
従来、液晶テレビジョンに用いられる回路基板（配線基板）が知られている（たとえば、特許文献１参照）。この特許文献１には、１つの配線基板を親基板と子基板とに分割して、その分割された親基板と子基板とを、ピンヘッダーにより所定の間隔を隔てた状態で支持するとともに、親基板と子基板とを電気的に接続した２段式回路基板が開示されている。
【０００３】
また、従来、制御回路（配線基板）を備えた液晶モニタ装置（液晶テレビジョン）が知られている（たとえば、特許文献２参照）。この特許文献２には、液晶モジュール（液晶表示部）と、画像を表示するための制御回路と画質を調整するための制御回路とが設けられた制御基板とが、外装本体（フロントキャビネットおよびリアキャビネット）の内部に配置される液晶モニタ装置が開示されている。
【０００４】
図９は、従来の一例による液晶テレビジョンを背面側から見た全体斜視図である。図１０は、図９に示した従来の一例による液晶テレビジョンからリアキャビネットを外した状態を示した斜視図である。図１１は、図９に示した従来の一例による液晶テレビジョンのリアキャビネットの斜視図であり、図１２は、図９に示した従来の一例による液晶テレビジョンのメイン基板とホルダとの分解斜視図である。まず、図９〜図１２を参照して、従来の一例による液晶テレビジョン１００の構造について説明する。
【０００５】
従来の一例による液晶テレビジョン１００は、２０インチ以下の液晶画面を有する小型の液晶テレビジョンであり、ＤＶＤプレーヤー、ビデオデッキおよびゲーム機などの外部機器との接続が可能なように構成されている。この液晶テレビジョン１００は、図９および図１０に示すように、フロントキャビネット１１０と、リアキャビネット１２０と、スタンド部材１３０と、ＬＣＤ（Ｌｉｑｕｉｄ  Ｃｒｙｓｔａｌ  Ｄｉｓｐｌａｙ）ユニット１４０と、ＬＣＤユニット１４０を制御するためのメイン基板１５０と、ホルダ１６０とを備えている。そして、フロントキャビネット１１０およびリアキャビネット１２０によって液晶テレビジョン１００の筐体が構成され、フロントキャビネット１１０およびリアキャビネット１２０の内部に、ＬＣＤユニット１４０、メイン基板１５０およびホルダ１６０が配置されている。
【０００６】
フロントキャビネット１１０には、ＬＣＤユニット１４０が取り付けられている。また、リアキャビネット１２０は、図１１に示すように、背面部１２１と、側面部１２２とを含んでいる。また、背面部１２１には、スタンド部材１３０を取り付けるための４つの取付孔１２１ａが設けられている。また、背面部１２１と１つの側面部１２２との間の領域には、開口部１２２ａが形成されている。この開口部１２２ａを介して、後述するメイン基板１５０に取り付けられる複数のジャック（ＡＶ端子）１５２の端子部１５２ａ、アナログテレビ用チューナー１５３の端子部１５３ａおよびヘッドホンジャック１５４の端子部１５４ａが外部に突出するように構成されている。
【０００７】
メイン基板１５０は、図１０に示すように、ＬＣＤユニット１４０とリアキャビネット１２０（図１１参照）との間に配置されており、ＬＣＤユニット１４０のリアキャビネット１２０側の面に取り付けられている。このメイン基板１５０のリアキャビネット１２０
側の主表面１５１には、図１０および図１２に示すように、複数のジャック１５２、アナログテレビ用チューナー１５３およびヘッドホンジャック１５４や種々の電子部品が設けられている。そして、この複数のジャック１５２、アナログテレビ用チューナー１５３およびヘッドホンジャック１５４は、それぞれ、短形状のメイン基板１５０の主表面１５１の一辺の端部近傍に沿って水平方向に接続されるように取り付けられている。
【０００８】
ホルダ１６０は、図９および図１０に示すように、リアキャビネット１２０の開口部１２２ａ（図１１参照）に嵌め込まれるように形成されている。また、図１２に示すように、ホルダ１６０には、複数のジャック１５２の端子部１５２ａ、アナログテレビ用チューナー１５３の端子部１５３ａおよびヘッドホンジャック１５４の端子部１５４ａを外部に突出させるための複数の貫通孔１６１が形成されている。これにより、図１０に示した状態からリアキャビネット１２０を取り付けることによって、図９に示すように、複数のジャック１５２の端子部１５２ａ、アナログテレビ用チューナー１５３の端子部１５３ａおよびヘッドホンジャック１５４の端子部１５４ａを外部に突出させた状態で、リアキャビネット１２０の開口部１２２ａを塞ぐことが可能となる。
【特許文献１】特開平１０−１５４８７２号公報
【特許文献２】特開２００４−３１７９０５号公報
【発明の開示】
【発明が解決しようとする課題】
【０００９】
しかしながら、図９〜図１２に示した従来の液晶テレビジョン１００では、メイン基板１５０を、フロントキャビネット１１０およびリアキャビネット１２０の内部に配置するために、ＬＣＤユニット１４０の大きさに対応させて形成する必要がある。そのため、２０インチ以下の液晶画面を有するＬＣＤユニット１４０を含む小型の液晶テレビジョン１００では、メイン基板１５０の大きさも小型になるという不都合があった。これにより、短形状のメイン基板１５０の一辺の端部近傍に沿って配置されるジャック（ＡＶ端子）１５２の数を増加させるのが困難になるという不都合があった。その結果、外部機器との接続に用いるジャック（ＡＶ端子）１５２の数を増加させることが困難であるという問題点があった。
【００１０】
また、上記特許文献１に開示された２段式回路基板の親基板および子基板を有する構造の場合でも、図９〜図１２に示した従来の構造と同様、外部との接続に用いるＡＶ端子を水平方向に接続されるように親基板の一辺の端部近傍に沿って配置する場合には、配線基板（親基板および子基板）に取り付けるＡＶ端子の数を増加させることが困難であるという問題点がある。
【００１１】
また、上記特許文献２に開示された液晶モニタ装置では、制御基板を、外装本体（フロントキャビネットおよびリアキャビネット）の内部に配置するために、液晶モジュールの大きさに対応させて形成する必要がある。そのため、たとえば、２０インチ以下の液晶画面を有する液晶モジュールを含む小型の液晶モニタ装置では、制御基板の大きさも小型になるという不都合がある。これにより、制御基板に外部機器との接続に用いるジャック（ＡＶ端子）などを取り付ける場合に、ジャック（ＡＶ端子）などを取り付ける領域を広げるのが困難になるという不都合があった。その結果、外部機器との接続に用いるジャック（ＡＶ端子）の数を増加させるのが困難になるという問題点がある。
【００１２】
この発明は、上記のような課題を解決するためになされたものであり、この発明の１つの目的は、配線基板に取り付ける端子の数を増加させることが可能な液晶テレビジョンを提供することである。
【課題を解決するための手段】
【００１３】
上記目的を達成するために、この発明の第１の局面における液晶テレビジョンは、液晶表示部と、液晶表示部を制御するための第１配線基板と、外部機器との接続に用いられる端子と、第１配線基板に取り付けられる電子部品とを備えた小型の液晶テレビジョンにおいて、外部機器との接続に用いられる端子が取り付けられる第２配線基板と、第１配線基板の形成後に不要となった部分から形成され、第２配線基板を第１配線基板から所定の高さを有した状態で支持するとともに第１配線基板と第２配線基板とを電気的に接続する少なくとも２つの第３配線基板とをさらに備え、電子部品は、第１配線基板の第２配線基板の下方に位置する部分に取り付けられるとともに、電子部品と第２配線基板との間には、緩衝部材が設けられており、第１配線基板および第２配線基板には、それぞれ、第３配線基板を挿入するための挿入孔が形成されており、第３配線基板は、第１配線基板の挿入孔に挿入された状態で第１配線基板に電気的に接続されるように固定されるとともに、第２配線基板の挿入孔に挿入された状態で第２配線基板に電気的に接続されるように固定され、第２配線基板に取り付けられる端子は、第２配線基板の主表面に対して垂直方向に接続されるように取り付けられている。
【００１４】
この第１の局面による液晶テレビジョンでは、上記のように、外部機器との接続に用いられる端子が取り付けられる第２配線基板と、第２配線基板を第１配線基板から所定の高さを有した状態で支持するとともに、第１配線基板と第２配線基板とを電気的に接続する第３配線基板とを設けることによって、第１配線基板とは別に設けられた第２配線基板に端子を取り付けることができるので、外部機器との接続に用いられる端子を設置することが可能な領域を大きくすることができる。これにより、小型の液晶テレビジョンの大きさに対応するように第１配線基板が小型に形成された場合でも、第２配線基板を設けた分だけ、外部機器との接続に用いる端子を設置することが可能な領域を増加させることができる。その結果、第１配線基板および第２配線基板に取り付ける端子の数を増加させることができる。また、第２配線基板に取り付けられる端子を第２配線基板の主表面に対して垂直方向に接続されるように取り付けることによって、第２配線基板の主表面に対して水平方向に接続されるように取り付ける場合と異なり、外部機器との接続のために端子を配線基板の一辺の端部に沿って配置して、液晶テレビジョンの側面に端子を露出させる必要がないので、外部機器との接続に用いられる端子を取り付ける位置を自由に設定することができる。その結果、第２配線基板の主表面の端部だけでなく、端部以外の領域にも端子を配置することができるので、外部機器との接続に用いる端子の数をより増加させることができる。
【００１５】
また、第１の局面では、第２配線基板を第１配線基板から所定の高さを有した状態で支持するとともに、第１配線基板と第２配線基板とを電気的に接続する第３配線基板を、第１配線基板の形成後に不要となった部分（捨て基板）から形成することによって、第３配線基板を第１配線基板と同じ製造プロセスで形成することができるので、第３配線基板の製造プロセスを簡略化することができる。また、第１配線基板の形成後に不要となる部分（捨て基板）に予め配線パターンを形成するようにすれば、配線パターンを有する第３配線基板を形成することができる。これにより、その第３配線基板の配線パターンと第１配線基板とを電気的に接続するとともに、第３配線基板の配線パターンと第２配線基板とを電気的に接続することにより、容易に、第１配線基板と第２配線基板とを第３配線基板により電気的に接続することができる。また、第１配線基板および第２配線基板に、それぞれ、第３配線基板を挿入するための挿入孔を形成するとともに、第３配線基板を、第１配線基板の挿入孔に挿入した状態で第１配線基板に電気的に接続されるように固定して、第２配線基板の挿入孔に挿入した状態で第２配線基板に電気的に接続されるように固定することによって、第３配線基板と、第１配線基板および第２配線基板とを電気的に接続した状態で固定するために、第１配線基板および第２配線基板に第３配線基板を差し込むためのコネクタなどを設ける必要がないので、部品点数が増加するのを抑制することができる
。また、第２配線基板を少なくとも２つの第３配線基板により支持することによって、第２配線基板を安定した状態で支持することができる。その結果、第２配線基板に複数の端子を取り付けたとしても、第２配線基板を安定した状態で支持することができる。また、電子部品と第２配線基板との間に緩衝部材を設けることによって、第２配線基板に取り付けられる端子に外部機器から延びる接続端子が接続されることに起因して、第２配線基板に力が加えられた場合でも、電子部品と第２配線基板との間に設けられる緩衝部材により、第２配線基板が撓むのを抑制することができる。その結果、第２配線基板が破損するのを抑制することができる。
【００１６】
この発明の第２の局面における液晶テレビジョンは、液晶表示部と、液晶表示部を制御するための第１配線基板と、外部機器との接続に用いられる端子が取り付けられる第２配線基板と、第２配線基板を第１配線基板から所定の高さを有した状態で支持するとともに、第１配線基板と第２配線基板とを電気的に接続する第３配線基板とを備え、第２配線基板に取り付けられる端子は、第２配線基板の主表面に対して垂直方向に接続されるように取り付けられている。
【００１７】
この第２の局面による液晶テレビジョンでは、上記のように、外部機器との接続に用いられる端子が取り付けられる第２配線基板と、第２配線基板を第１配線基板から所定の高さを有した状態で支持するとともに、第１配線基板と第２配線基板とを電気的に接続する第３配線基板とを設けることによって、第１配線基板とは別に設けられた第２配線基板に端子を取り付けることができるので、外部機器との接続に用いられる端子を設置することが可能な領域を大きくすることができる。これにより、たとえば、液晶テレビジョンの液晶表示部の大きさに対応するように第１配線基板が小型に形成された場合でも、第２配線基板を設けた分だけ、外部機器との接続に用いる端子を設置することが可能な領域を増加させることができる。その結果、第１配線基板および第２配線基板に取り付ける端子の数を増加させることができる。また、第２配線基板に取り付けられる端子を第２配線基板の主表面に対して垂直方向に接続されるように取り付けることによって、第２配線基板の主表面に対して水平方向に接続されるように取り付ける場合と異なり、外部機器との接続のために端子を配線基板の一辺の端部に沿って配置して、液晶テレビジョンの側面に端子を露出させる必要がないので、外部機器との接続に用いられる端子を取り付ける位置を自由に設定することができる。その結果、第２配線基板の主表面の端部だけでなく、端部以外の領域にも端子を配置することができるので、外部機器との接続に用いる端子をより増加させることができる。
【００１８】
上記第２の局面による液晶テレビジョンにおいて、好ましくは、第３配線基板は、第１配線基板の形成後に不要となった部分から形成される。このように構成すれば、第３配線基板を第１配線基板と同じ製造プロセスで形成することができるので、第３配線基板の製造プロセスを簡略化することができる。また、第１配線基板の形成後に不要となる部分（捨て基板）に予め配線パターンを形成するようにすれば、配線パターンを有する第３配線基板を形成することができる。これにより、その第３配線基板の配線パターンと第１配線基板とを電気的に接続するとともに、第３配線基板の配線パターンと第２配線基板とを電気的に接続することにより、容易に、第１配線基板と第２配線基板とを第３配線基板により電気的に接続することができる。
【００１９】
上記第２の局面による液晶テレビジョンにおいて、好ましくは、第１配線基板および第２配線基板には、それぞれ、第３配線基板を挿入するための挿入孔が形成されており、第３配線基板は、第１配線基板の挿入孔に挿入された状態で第１配線基板に電気的に接続されるように固定されるとともに、第２配線基板の挿入孔に挿入された状態で第２配線基板に電気的に接続されるように固定されている。このように構成すれば、第３配線基板と、第１配線基板および第２配線基板とを電気的に接続した状態で固定するために、第１配線
基板および第２配線基板に第３配線基板を差し込むためのコネクタなどを設ける必要がないので、部品点数が増加するのを抑制することができる。
【００２０】
上記第２の局面による液晶テレビジョンにおいて、好ましくは、第３配線基板は、少なくとも２つ設けられている。このように構成すれば、第２配線基板を安定した状態で支持することができる。その結果、第２配線基板に複数の端子を取り付けたとしても、第２配線基板を安定した状態で支持することができる。
【００２１】
上記第２の局面による液晶テレビジョンにおいて、好ましくは、第１配線基板の第２配線基板の下方に位置する部分に取り付けられる電子部品と、電子部品と第２配線基板との間に設けられる緩衝部材とをさらに備えている。このように構成すれば、第２配線基板に取り付けられる端子に外部機器から延びる接続端子が接続されることに起因して、第２配線基板に力が加えられた場合にも、電子部品と第２配線基板との間に設けられる緩衝部材により、第２配線基板が撓むのを抑制することができる。その結果、第２配線基板に取り付けられる端子に外部機器から延びる接続端子が接続された場合でも、第２配線基板が破損するのを抑制することができる。
【００２２】
上記第２の局面による液晶テレビジョンにおいて、第１配線基板の第２配線基板の下方に位置する部分に取り付けられる電子部品と、電子部品と第２配線基板との間に設けられ、電子部品と第２配線基板とを接地するための金属製の板バネとをさらに備えてもよい。このように構成すれば、第２配線基板に取り付けられる端子に外部機器から延びる接続端子が接続されることに起因して、第２配線基板に力が加えられた場合にも、電子部品と第２配線基板との間に設けられる板バネにより、第２配線基板が撓むのを抑制することができる。その結果、第２配線基板に取り付けられる端子に外部機器から延びる接続端子が接続された場合でも、第２配線基板が破損するのを抑制することができる。また、電子部品と第２配線基板との間に金属製の板バネを設けることによって、第２配線基板と電子部品とを金属製の板バネを介して電気的に接続することができる。これにより、第１配線基板に取り付けられる電子部品が接地（アース）されている場合に容易に金属性の板バネを介して第２配線基板を接地することができる。
【発明を実施するための最良の形態】
【００２３】
以下、本発明を具体化した実施形態を図面に基づいて説明する。
【００２４】
図１は、本発明の一実施形態による液晶テレビジョンを正面側から見た全体斜視図であり、図２は、図１に示した一実施形態による液晶テレビジョンを背面側から見た全体斜視図である。図３は、図１に示した一実施形態による液晶テレビジョンからリアキャビネットを外した状態を示した斜視図である。図４〜図７は、図１に示した一実施形態による液晶テレビジョンの詳細構造を説明するための図である。まず、図１〜図７を参照して、本実施形態による液晶テレビジョン１の構造について説明する。
【００２５】
本発明の一実施形態による液晶テレビジョン１は、２０インチ以下の液晶画面４１を有する小型の液晶テレビジョンであり、ＤＶＤプレーヤー、ビデオデッキおよびゲーム機などの外部機器との接続が可能なように構成されている。この液晶テレビジョン１は、図１〜図３に示すように、フロントキャビネット１０と、リアキャビネット２０と、スタンド部材３０と、ＬＣＤユニット４０と、ＬＣＤユニット４０を制御するためのメイン基板５０と、ホルダ６０と、ジャック（ＡＶ端子）設置用基板７０と、脚基板８０と、緩衝部材９０とを備えている。なお、メイン基板５０、ジャック（ＡＶ端子）設置用基板７０および脚基板８０は、それぞれ、本発明の「第１配線基板」、「第２配線基板」および「第３配線基板」の一例である。そして、フロントキャビネット１０およびリアキャビネット２０によって液晶テレビジョン１の筐体が構成され、フロントキャビネット１０およびリア
キャビネット２０の内部に、ＬＣＤユニット４０、メイン基板５０、ホルダ６０、ジャック設置用基板７０、脚基板８０および緩衝部材９０が配置されている。
【００２６】
フロントキャビネット１０には、図１に示すように、ＬＣＤユニット４０の液晶画面４１を露出するように開口部１１が設けられている。また、フロントキャビネット１０には、ＬＣＤユニット４０が取り付けられている。なお、ＬＣＤユニット４０は、本発明の「液晶表示部」の一例である。
【００２７】
リアキャビネット２０は、図４に示すように、背面部２１と、側面部２２とを含んでいる。また、背面部２１には、スタンド部材３０を取り付けるための４つの取付孔２１ａが設けられている。また、図４および図５に示すように、背面部２１には、短形状の凹部２１ｂが形成されており、その凹部２１ｂには、複数（本実施形態では９つ）の貫通孔２１ｃが形成されている。この複数の貫通孔２１ｃは、後述するジャック設置用基板７０に取り付けられる複数のジャック（ＡＶ端子）７１の端子部７１ａが外部に露出するように形成されている。そして、凹部２１ｂは、貫通孔２１ｃから露出したジャック７１の端子部７１ａの先端と、リアキャビネット２０の背面部２１とが同じ高さになるように形成されている。また、図４に示すように、背面部２１と側面部２２との間の領域には、開口部２２ａが形成されており、この開口部２２ａから後述するメイン基板５０に取り付けられるアナログテレビ用チューナー５３の端子部５３ａ（図３参照）およびヘッドホンジャック５４の端子部５４ａ（図３参照）が外部に突出している。
【００２８】
メイン基板５０は、図３に示すように、ＬＣＤユニット４０とリアキャビネット２０（図４参照）との間に配置されており、ＬＣＤユニット４０のリアキャビネット２０側の面に取り付けられている。このメイン基板５０のリアキャビネット２０側の主表面５１には、デジタルテレビ用チューナー５２、アナログテレビ用チューナー５３およびヘッドホンジャック５４など種々の電子部品が設けられている。なお、デジタルテレビ用チューナー５２は、本発明の「電子部品」の一例である。また、メイン基板５０のフロントキャビネット１０側の面には、メイン基板５０の主表面５１に設けられる種々の電子部品（デジタルテレビ用チューナー５２、アナログテレビ用チューナー５３およびヘッドホンジャック５４など）を電気的に接続するための配線パターンが形成されている。また、図３および図５に示すように、メイン基板５０に設けられるデジタルテレビ用チューナー５２は、後述するジャック設置用基板７０の下方に位置するように配置されている。また、メイン基板５０には、図６に示すように、後述する２つの脚基板８０の挿入部８１がそれぞれ挿入される２つの挿入孔５５が形成されている。
【００２９】
ホルダ６０は、図３に示すように、リアキャビネット２０の開口部２２ａ（図４参照）に嵌め込まれるように形成されている。また、ホルダ６０には、アナログテレビ用チューナー５３とヘッドホンジャック５４とを外部に突出させるため貫通孔６１が設けられている。これにより、アナログテレビ用チューナー５３の端子部５３ａとヘッドホンジャック５４の端子部５４ａとを外部に露出させた状態で、リアキャビネット２０の開口部２２ａを塞ぐことが可能となる。
【００３０】
ここで、本実施形態では、図６に示すように、ジャック設置用基板７０には、外部機器（ＤＶＤプレーヤー、ビデオデッキ、ゲーム機など）から延びるプラグ３（図７参照）と接続して、その外部機器から出力される映像信号や音声信号を受信したり、本実施形態の液晶テレビジョン１から出力される映像信号や音声信号を送信したりするための複数（本実施形態では９つ）のジャック（ＡＶ端子）７１が取り付けられている。なお、ジャック７１は、本発明の「端子」の一例である。このジャック７１は、図５および図６に示すように、ジャック設置用基板７０の主表面７２に対して垂直方向に接続されるように取り付けられている。また、ジャック設置用基板７０は、メイン基板５０から所定の高さを有し
た状態で後述する２つの脚基板８０により支持されている。また、ジャック設置用基板７０には、２つの脚基板８０の挿入部８２がそれぞれ挿入される２つの挿入孔７３が形成されている。また、ジャック設置用基板７０の複数のジャック７１が取り付けられる面とは反対の下面７４（図５参照）には、配線パターンが形成されている。また、ジャック設置用基板７０の下面７４には、スポンジなどの発砲材料からなる緩衝部材９０が取り付けられている。
【００３１】
また、本実施形態では、２つの脚基板８０は、ジャック設置用基板７０をメイン基板５０から所定の高さを有した状態で支持するとともに、メイン基板５０とジャック設置用基板７０とを電気的に接続するために設けられている。この脚基板８０には、図５および図６に示すように、メイン基板５０の挿入孔５５に挿入するための挿入部８１が形成されるとともに、ジャック設置用基板７０の挿入孔７３に挿入するための挿入部８２が形成されている。また、脚基板８０には、脚基板８０の挿入部８１がメイン基板５０の挿入孔５５に挿入された場合に、メイン基板５０の主表面５１に当接する当接部８３が設けられるとともに、脚基板８０の挿入部８２がジャック設置用基板７０の挿入孔７３に挿入された場合に、ジャック設置用基板７０の下面７４に当接する当接部８４が設けられている。これにより、脚基板８０の挿入部８１をメイン基板５０の挿入孔５５に挿入した場合に、脚基板８０がメイン基板５０に対して抜けるのを防止することが可能となる。また、同様に、脚基板８０の挿入部８２をジャック設置用基板７０の挿入孔７３に挿入した場合に、脚基板８０がジャック設置用基板７０に対して抜けるのを防止することが可能となる。
【００３２】
また、本実施形態では、２つの脚基板８０は、メイン基板５０の形成後に不要となった部分（捨て基板）から形成されている。つまり、２つの脚基板８０は、メイン基板５０の形成時のハンドリングなどに必要な部分で、かつ、メイン基板５０の形成後に切り離される部分（捨て基板）から形成されている。この際、本実施形態では、メイン基板５０の切り離される部分にも予め配線パターンを形成する。これにより、メイン基板５０から切り離されて形成された２つの脚基板８０は、対向する内面８５に、配線パターンを有するように形成される。そして、図５に示すように、脚基板８０は、メイン基板５０の挿入孔５５に挿入された状態で半田２により固定されている。具体的には、脚基板８０の配線パターンが形成される内面８５と、メイン基板５０の主表面５１とは反対側の配線パターンが形成される面とを電気的に接続するように半田２が設けられている。また、脚基板８０は、ジャック設置用基板７０の挿入孔７３に挿入された状態で半田２により固定されている。具体的には、脚基板８０の配線パターンが形成される内面８５と、ジャック設置用基板７０の配線パターンが形成される下面７４とを電気的に接続するように半田２が設けられている。これにより、メイン基板５０と、メイン基板５０から所定の高さを有した状態で脚基板８０により支持されるジャック設置用基板７０とを、脚基板８０を介して電気的に接続することが可能となる。また、脚基板８０の内面８５に形成される配線パターンを用いれば、外部に露出するジャック７１を接地（アース）するため配線を形成することができるので、容易に、ジャック７１を接地（アース）することが可能となる。その結果、外部に露出するジャック７１にユーザーが触れることにより静電気が伝わった場合でも、ジャック７１やメイン基板５０に取り付けられる種々の電子部品が故障するのを抑制することが可能となる。
【００３３】
緩衝部材９０は、図５および図７に示すように、メイン基板５０に取り付けられるデジタルテレビ用チューナー５２とジャック設置用基板７０の下面７４との間に設けられている。
【００３４】
本実施形態では、上記のように、外部機器との接続に用いられるジャック７１が取り付けられるジャック設置用基板７０と、ジャック設置用基板７０をメイン基板５０から所定の高さを有した状態で支持するとともに、メイン基板５０とジャック設置用基板７０とを
電気的に接続する脚基板８０とを設けることによって、メイン基板５０とは別に設けられたジャック設置用基板７０にジャック７１を取り付けることができるので、外部機器との接続に用いられるジャック７１を設置することが可能な面積を大きくすることができる。これにより、設置されるジャック７１の数が２０インチ以下の液晶テレビジョンの大きさに対応するようにメイン基板５０が小型に形成された場合でも、ジャック設置用基板７０を設けた分だけ、外部機器との接続に用いるジャック７１を設置することが可能な領域を増加させることができる。その結果、メイン基板５０およびジャック設置用基板７０に取り付けられるジャック７１の数を増加させることができる。
【００３５】
また、本実施形態では、ジャック設置用基板７０に取り付けられるジャック７１をジャック設置用基板７０の主表面７２に対して垂直方向に接続されるように取り付けることによって、図９〜図１２に示した従来の液晶テレビジョン１００のようにジャック１５２を短形状のメイン基板１５０の主表面１５１の一辺の端部近傍に沿って水平方向に接続されるように取り付ける場合と異なり、外部機器（ＤＶＤプレーヤー、ビデオデッキおよびゲーム機など）との接続のためにジャック７１を配線基板の端部に沿って配置して、液晶テレビジョン１の側面部２２にジャック７１を露出させる必要がないので、外部機器との接続に用いられるジャック７１を取り付ける位置を自由に設定することができる。その結果、ジャック設置用基板７０の端部だけでなく、端部以外の領域にもジャック７１を配置することができるので、外部機器との接続に用いるジャック７１の数をより増加させることができる。
【００３６】
また、本実施形態では、ジャック設置用基板７０をメイン基板５０から所定の高さを有した状態で支持するとともに、メイン基板５０とジャック設置用基板７０とを電気的に接続する脚基板８０を、メイン基板５０の形成後に不要となった部分（捨て基板）から形成することによって、脚基板８０をメイン基板５０と同じ製造プロセスで形成することができるので、脚基板８０の製造プロセスを簡略化することができる。
【００３７】
また、本実施形態では、メイン基板５０の形成後に不要となる部分（捨て基板）に予め配線パターンを形成するようにすれば、配線パターンを有する脚基板８０を形成することができる。これにより、その脚基板８０の配線パターンとメイン基板５０とを半田２を用いて電気的に接続するとともに、脚基板８０の配線パターンとジャック設置用基板７０とを半田２を用いて電気的に接続することにより、容易に、メイン基板５０とジャック設置用基板７０とを脚基板８０により電気的に接続することができる。
【００３８】
また、本実施形態では、メイン基板５０およびジャック設置用基板７０に、それぞれ、脚基板８０を挿入するための挿入孔５５および挿入孔７３を形成するとともに、脚基板８０の挿入部８１を、メイン基板５０の挿入孔５５に挿入した状態でメイン基板５０に電気的に接続されるように半田２を用いて固定して、脚基板８０の挿入部８３をジャック設置用基板７０の挿入孔７３に挿入した状態でジャック設置用基板７０に電気的に接続されるように半田２を用いて固定することによって、脚基板８０と、メイン基板５０およびジャック設置用基板７０とを電気的に接続した状態で固定するために、メイン基板５０およびジャック設置用基板７０に脚基板８０を差し込むためのコネクタなどを設ける必要がないので、部品点数が増加するのを抑制することができる。
【００３９】
また、本実施形態では、ジャック設置用基板７０を２つの脚基板８０により支持することによって、ジャック設置用基板７０を安定した状態で支持することができる。その結果、ジャック設置用基板７０に複数（本実施形態では９つ）のジャック７１を取り付けたとしても、ジャック設置用基板７０を安定した状態で支持することができる。
【００４０】
また、本実施形態では、デジタルテレビ用チューナー５２とジャック設置用基板７０と
の間に緩衝部材９０を設けることによって、ジャック設置用基板７０に取り付けられるジャック７１に外部機器から延びるプラグ３（図７参照）が接続されることに起因して、ジャック設置用基板７０に力が加えられた場合でも、デジタルテレビ用チューナー５２とジャック設置用基板７０との間に設けられる緩衝部材９０により、ジャック設置用基板７０が撓むのを抑制することができる。その結果、ジャック設置用基板７０に取り付けられるジャック７１に外部機器から延びるプラグ３が接続された場合でも、ジャック設置用基板７０が破損するのを抑制することができる。
【００４１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４２】
たとえば、上記実施形態では、メイン基板５０に配置されるデジタルテレビ用チューナー５２とジャック設置用基板７０との間にスポンジなどの発砲材料からなる緩衝部材９０を設ける例を示したが、本発明はこれに限らず、図８に示した変形例のように、メイン基板５０に配置されるデジタルテレビ用チューナー５２とジャック設置用基板７０との間に金属製の板バネ９１を設けてもよい。これにより、ジャック設置用基板７０に取り付けられるジャック７１に外部機器から延びるプラグ３（図７参照）が接続されることに起因して、ジャック設置用基板７０に力が加えられた場合にも、デジタルテレビ用チューナー５２とジャック設置用基板７０との間に設けられる板バネ９１により、ジャック設置用基板７０が撓むのを抑制することができる。その結果、ジャック設置用基板７０に取り付けられる端子に外部機器から延びるプラグ３が接続された場合でも、ジャック設置用基板７０が破損するのを抑制することができる。また、デジタルテレビ用チューナー５２とジャック設置用基板７０との間に設けられる板バネ９１を金属製の板バネにより形成することによって、ジャック設置用基板７０とデジタルテレビ用チューナー５２とを金属製の板バネ９１を介して電気的に接続することができる。これにより、メイン基板５０に取り付けられるデジタルテレビ用チューナー５２が接地（アース）されている場合に容易に金属製の板バネ９１を介してジャック設置用基板７０を接地することができる。
【００４３】
また、上記実施形態では、配線基板の形成後に不要となる部分（捨て基板）からなる脚基板を用いて、メイン基板とジャック設置用基板とを電気的に接続するとともに、ジャック設置用基板をメイン基板から所定の高さを有した状態で支持する例を示したが、本発明はこれに限らず、配線基板の形成後に不要となる部分（捨て基板）ではなく、通常の配線基板を用いて、メイン基板とジャック設置用基板とを電気的に接続するとともに、ジャック設置用基板をメイン基板から所定の高さを有した状態で支持してもよい。
【００４４】
また、上記実施形態では、２つの脚基板により、ジャック設置用基板をメイン基板から所定の高さを有した状態で支持する例を示したが、本発明はこれに限らず、１つの脚基板により、ジャック設置用基板をメイン基板から所定の高さを有した状態で支持してもよいし、３つ以上の脚基板により、ジャック設置用基板をメイン基板から所定の高さを有した状態で支持してもよい。
【図面の簡単な説明】
【００４５】
【図１】本発明の一実施形態による液晶テレビジョンを正面側から見た全体斜視図である。
【図２】図１に示した一実施形態による液晶テレビジョンを背面側から見た全体斜視図である。
【図３】図１に示した一実施形態による液晶テレビジョンからリアキャビネットを外した状態を示した液晶テレビジョンの斜視図である。
【図４】図１に示した一実施形態による液晶テレビジョンのリアキャビネットの斜視図である。
【図５】図２の２００−２００線に沿った断面図である。
【図６】図１に示した一実施形態による液晶テレビジョンのメイン基板、脚基板およびジャック設置用基板の分解斜視図である。
【図７】図１に示した一実施形態による液晶テレビジョンのジャック設置用基板のジャックに外部機器から延びるプラグを差し込む状態を示した断面図である。
【図８】図１に示した一実施形態による液晶テレビジョンの変形例を示した断面図である。
【図９】従来の一例による液晶テレビジョンを背面側から見た全体斜視図である。
【図１０】図９に示した従来の一例による液晶テレビジョンからリアキャビネットを外した状態を示した液晶テレビジョンの斜視図である
【図１１】図９に示した従来の一例による液晶テレビジョンのリアキャビネットの斜視図である。
【図１２】図９に示した従来の一例による液晶テレビジョンのメイン基板およびホルダの斜視図である。
【符号の説明】
【００４６】
１  液晶テレビジョン
５０  メイン基板（第１配線基板）
５２  デジタルテレビ用チューナー（電子部品）
５５  挿入孔
７０  ジャック設置用基板（第２配線基板）
７１  ジャック（端子）
７３  挿入孔
８０  脚基板（第３配線基板）
９０  緩衝部材
９１  板バネ
【図１】
2007067480.tif 000003
【図２】
2007067480.tif 000004
【図３】
2007067480.tif 000005
【図４】
2007067480.tif 000006
【図５】
2007067480.tif 000007
【図６】
2007067480.tif 000008
【図７】
2007067480.tif 000009
【図８】
2007067480.tif 000010
【図９】
2007067480.tif 000011
【図１０】
2007067480.tif 000012
【図１１】
2007067480.tif 000013
【図１２】
2007067480.tif 000014